(57)【要約】【課題】シャッターの見栄えを向上させることが可能なシャッターロック装置、シャッターロックセット及びシャッターの提供を目的とする。【解決手段】本発明のシャッターロック装置１０によれば、鎌部材３０がロック位置のときには、ガイド部材４０がシャッターカーテン９０の下面９０Ｋから下方に突出してストライカ受容溝４４にストライカ１５を受容すると共に、フック部３２がシャッターカーテン９０の下面９０Ｋから下方に突出して、ストライカ受容溝４４に受容されたストライカ１５に係合する。これによりシャッターカーテン９０が閉鎖状態に固定される。これに対し、鎌部材３０がロック解除位置のときには、フック部３２及びガイド部材４０が共に、シャッターカーテン９０の下面９０Ｋよりも上方に退避してシャッターカーテン９０の後面９０Ａに隠れるから、シャッターカーテン９０を開放したときの見栄えが従来よりも向上する。【選択図】  図６
2007146590.tif 000002
【特許請求の範囲】
【請求項１】
シャッターカーテンの下端部に取り付けられるシャッターロック装置であって、前記シャッターカーテンの下面と対向したシャッター枠の下辺部に枠側凹部が陥没形成されると共にその内側にストライカが備えられ、前記ストライカに係合して前記シャッターカーテンを閉鎖状態に固定するシャッターロック装置において、
前記シャッターカーテンの下端部に固定されるベース部材と、
前記ベース部材に回動可能に軸支されて、ロック位置とロック解除位置との間で回転駆動される鎌部材と、
前記鎌部材に形成されて、前記鎌部材が前記ロック解除位置にあるときには、前記シャッターカーテンの下面より上方に退避する一方、前記鎌部材が前記ロック位置にあるときには、前記シャッターカーテンの下面から下方に突出しかつ前記ストライカに対して下側に回り込んで係合するフック部と、
前記ベース部材に対して上下動可能に組み付けられると共に前記鎌部材に連動し、前記鎌部材が前記ロック解除位置にあるときには、前記シャッターカーテンの下面より上方に退避する一方、前記鎌部材が前記ロック位置にあるときには、前記シャッターカーテンの下面から下方に突出する上下進退部材と、
前記上下進退部材に形成されて、前記上下進退部材が前記シャッターカーテンの下面から下方に突出したときに前記ストライカを受容するストライカ受容溝と、
前記上下進退部材のうち前記ストライカ受容溝を挟んだ両側部に形成されて、前記枠側凹部の開口縁との摺接により前記ストライカと前記ストライカ受容溝とを位置合わせ可能な側部ガイド面とを備えたことを特徴とするシャッターロック装置。
【請求項２】
前記枠側凹部の底面から起立して前記ストライカの両端部を支持した１対のストライカ支持壁の少なくとも一方に対応して、前記上下進退部材のうち前記ストライカ受容溝の周りに陥没形成され前記ストライカ支持壁を受容可能な窪み部が備えられたことを特徴とする請求項１に記載のシャッターロック装置。
【請求項３】
前記上下進退部材の下縁部には、前記枠側凹部の底面から起立して前記ストライカの両端部を支持した１対のストライカ支持壁の一方に摺接して、前記シャッターロック装置を他方の前記ストライカ支持壁側に案内する下縁部ガイド面を備えた請求項１又は２に記載のシャッターロック装置。
【請求項４】
前記鎌部材と前記上下進退部材とのうち一方から他方に向かって突出した連結ピンと、前記他方に貫通形成されて前記連結ピンを受容しかつ水平方向に延びた連結長孔とにより前記鎌部材と前記上下進退部材とが連動可能に連結されたことを特徴とする請求項１乃至３の何れかに記載のシャッターロック装置。
【請求項５】
前記ベース部材は、前記シャッターカーテンの鉛直面に離れて対向したベース正面壁と、前記ベース正面壁の両側部から前記シャッターカーテンの鉛直面に向かって起立した１対のベース側壁と、前記ベース側壁の先端から張り出されて、前記シャッターカーテンの鉛直面に固定されるベース取付壁とを備え、
前記鎌部材は、前記ベース正面壁から起立した支持ピンに軸支され、
前記１対のベース側壁には、上下方向に延びたスリットが形成され、
前記上下進退部材は、前記鎌部材と前記シャッターカーテンの鉛直面との間に配置されると共に前記スリットに案内されるスリット直動部を備えたことを特徴とする請求項１乃至４の何れかに記載のシャッターロック装置。
【請求項６】
前記ベース正面壁には、前記鎌部材と摺接可能な突条が形成されたことを特徴とする請求項５に記載のシャッターロック装置。
【請求項７】
前記鎌部材と前記ベース部材との間に設けられて、前記鎌部材が前記ロック位置と前記ロック解除位置との中間位置に位置したときに最も撓められ、前記鎌部材を前記ロック位置又は前記ロック解除位置の何れかに付勢する付勢手段を備えたことを特徴とする請求項１乃至６の何れかに記載のシャッターロック装置。
【請求項８】
前記鎌部材の一端部には、前記鎌部材を手動操作するための操作レバーが備えられたことを特徴とする請求項１乃至７の何れかに記載のシャッターロック装置。
【請求項９】
請求項１乃至８の何れかに記載のシャッターロック装置と、
シャッター枠の下辺部に陥没形成された枠側凹部内に備えられて、前記上下進退部材の前記ストライカ受容溝に受容されるストライカとを備えたことを特徴とするシャッターロックセット。
【請求項１０】
請求項９に記載のシャッターロックセットを備えたことを特徴とするシャッター。
【発明の詳細な説明】
【技術分野】
【０００１】
本発明は、シャッターカーテンの下端部に取り付けられて、シャッター枠の下辺部に備えられたストライカと係合してシャッターカーテンを閉鎖状態に固定可能なシャッターロック装置及び、そのシャッターロック装置を備えたシャッターロックセット及び、そのシャッターロックセットを備えたシャッターに関する。
【背景技術】
【０００２】
この種の従来のシャッターロックセットには、ストライカを、シャッター枠の下辺部に陥没形成された凹所の内側に配置したものがある（例えば、特許文献１参照）。
【特許文献１】実開平６−６２１６２号公報（段落［０００７］，［０００８］，図１）
【発明の開示】
【発明が解決しようとする課題】
【０００３】
ところで、上述した従来のシャッターロックセットでは、凹所内に配置されたストライカと係合させる為に、シャッターロック装置の一部をシャッターカーテンの下面から下方に突出させていた。しかしながら、このような構成では、シャッターを開放したときにシャッターロック装置の一部がシャッターカーテンからはみ出て見えてしまうため、見栄えが悪かった。
【０００４】
本発明は、上記事情に鑑みてなされたもので、シャッターの見栄えを向上させることが可能なシャッターロック装置、シャッターロックセット及びシャッターの提供を目的とする。
【課題を解決するための手段】
【０００５】
上記目的を達成するためになされた請求項１の発明に係るシャッターロック装置は、シャッターカーテンの下端部に取り付けられるシャッターロック装置であって、シャッターカーテンの下面と対向したシャッター枠の下辺部に枠側凹部が陥没形成されると共にその内側にストライカが備えられ、ストライカに係合してシャッターカーテンを閉鎖状態に固定するシャッターロック装置において、シャッターカーテンの下端部に固定されるベース部材と、ベース部材に回動可能に軸支されて、ロック位置とロック解除位置との間で回転駆動される鎌部材と、鎌部材に形成されて、鎌部材がロック解除位置にあるときには、シャッターカーテンの下面より上方に退避する一方、鎌部材がロック位置にあるときには、シャッターカーテンの下面から下方に突出しかつストライカに対して下側に回り込んで係合するフック部と、ベース部材に対して上下動可能に組み付けられると共に鎌部材に連動し、鎌部材がロック解除位置にあるときには、シャッターカーテンの下面より上方に退避する一方、鎌部材がロック位置にあるときには、シャッターカーテンの下面から下方に突出する上下進退部材と、上下進退部材に形成されて、上下進退部材がシャッターカーテンの下面から下方に突出したときにストライカを受容するストライカ受容溝と、上下進退部材のうちストライカ受容溝を挟んだ両側部に形成されて、枠側凹部の開口縁との摺接によりストライカとストライカ受容溝とを位置合わせ可能な側部ガイド面とを備えたところに特徴を有する。
【０００６】
請求項２の発明は、請求項１に記載のシャッターロック装置において、枠側凹部の底面から起立して前記ストライカの両端部を支持した１対のストライカ支持壁の少なくとも一方に対応して、上下進退部材のうちストライカ受容溝の周りに陥没形成されストライカ支持壁を受容可能な窪み部が備えられたところに特徴を有する。
【０００７】
請求項３の発明は、請求項１又は２に記載のシャッターロック装置において、上下進退部材の下縁部には、枠側凹部の底面から起立してストライカの両端部を支持した１対のストライカ支持壁の一方に摺接して、シャッターロック装置を他方のストライカ支持壁側に案内する下縁部ガイド面を備えたところに特徴を有する。
【０００８】
請求項４の発明は、請求項１乃至３の何れかに記載のシャッターロック装置において、鎌部材と上下進退部材とのうち一方から他方に向かって突出した連結ピンと、他方に貫通形成されて連結ピンを受容しかつ水平方向に延びた連結長孔とにより鎌部材と上下進退部材とが連動可能に連結されたところに特徴を有する。
【０００９】
請求項５の発明は、請求項１乃至４の何れかに記載のシャッターロック装置において、ベース部材は、シャッターカーテンの鉛直面に離れて対向したベース正面壁と、ベース正面壁の両側部からシャッターカーテンの鉛直面に向かって起立した１対のベース側壁と、ベース側壁の先端から張り出されて、シャッターカーテンの鉛直面に固定されるベース取付壁とを備え、鎌部材は、ベース正面壁から起立した支持ピンに軸支され、１対のベース側壁には、上下方向に延びたスリットが形成され、上下進退部材は、鎌部材とシャッターカーテンの鉛直面との間に配置されると共にスリットに案内されるスリット直動部を備えたところに特徴を有する。
【００１０】
請求項６の発明は、請求項５に記載のシャッターロック装置において、ベース正面壁には、鎌部材と摺接可能な突条が形成されたところに特徴を有する。
【００１１】
請求項７の発明は、請求項１乃至６の何れかに記載のシャッターロック装置において、鎌部材とベース部材との間に設けられて、鎌部材がロック位置とロック解除位置との中間位置に位置したときに最も撓められ、鎌部材をロック位置又はロック解除位置の何れかに付勢する付勢手段を備えたところに特徴を有する。
【００１２】
請求項８の発明は、請求項１乃至７の何れかに記載のシャッターロック装置において、鎌部材の一端部には、鎌部材を手動操作するための操作レバーが備えられたところに特徴を有する。
【００１３】
請求項９の発明に係るシャッターロックセットは、請求項１乃至８の何れかに記載のシャッターロック装置と、シャッター枠の下辺部に陥没形成された枠側凹部内に備えられて、上下進退部材のストライカ受容溝に受容されるストライカとを備えたところに特徴を有する。
【００１４】
請求項１０の発明に係るシャッターは、請求項９に記載のシャッターロックセットを備えたところに特徴を有する。
【発明の効果】
【００１５】
［請求項１，９及び１０の発明］
請求項１，９及び１０の発明によれば、鎌部材がロック位置のときには、上下進退部材がシャッターカーテンの下面から下方に突出してストライカ受容溝にストライカを受容すると共に、フック部がシャッターカーテンの下面から下方に突出して、ストライカ受容溝に受容されたストライカに係合する。これにより、シャッターロック装置とストライカとが係合状態に保持され、シャッターカーテンが閉鎖状態に固定される。これに対し、鎌部材がロック解除位置のときには、フック部及び上下進退部材が共に、シャッターカーテンの下面よりも上方に退避してシャッターカーテンに隠れるから、シャッターカーテンを開放したときの見栄えが従来よりも向上する。
【００１６】
しかも、シャッターカーテンを下ろしたときにストライカ受容溝の位置がストライカに対して水平方向にずれていた場合でも、上下進退部材が枠側凹部に突入する過程で、上下進退部材の側面に形成されたガイド面が枠側凹部の開口縁に摺接し、これにより、ストライカ受容溝とストライカとが位置合わせされるので、シャッターロック装置とストライカとを確実に係合させることができる。
【００１７】
［請求項２の発明］
請求項２の発明によれば、ストライカ受容溝にストライカを受容したときに、そのストライカを支持した１対のストライカ支持壁の少なくとも一方が、窪み部に受容される。
【００１８】
［請求項３の発明］
請求項３の発明によれば、シャッターカーテンを下ろしたときに、ストライカ受容溝の位置がストライカの軸方向にずれていた場合でも、上下進退部材が枠側凹部に突入する過程で、上下進退部材の下縁部に形成された下縁部ガイド面が、一方のストライカ支持壁に摺接し、これによりシャッターロック装置がストライカの軸方向に沿って他方のストライカ支持壁側に案内されて、ストライカ受容溝とストライカとが位置合わせされるので、シャッターロック装置とストライカとを確実に係合させることができる。
【００１９】
［請求項４の発明］
請求項４の発明によれば、鎌部材を回転駆動させると、連結ピンと連結長孔とにより鎌部材に連結した上下進退部材が上下に直動する。
【００２０】
［請求項５の発明］
請求項５の発明によれば、上下進退部材のスリット直動部が、１対のベース側壁に形成されたスリットに案内されるので、上下進退部材を安定して上下動させることができる。
【００２１】
［請求項６の発明］
請求項６の発明によれば、ベース正面壁に突条を形成することで、ベース正面壁の剛性が増す。また、突条に鎌部材が摺接するようにしたことで、鎌部材を比較的スムーズに回動させることができる。
【００２２】
［請求項７の発明］
請求項７の発明によれば、鎌部材が偶発的にロック位置とロック解除位置とに切り替わることを防止できる。また、鎌部材がロック位置とロック解除位置との中間部分で止まることが防がれる。
【００２３】
［請求項８の発明］
請求項８の発明によれば、操作レバーを持って手動で鎌部材をロック位置及びロック解除位置にすることができる。
【発明を実施するための最良の形態】
【００２４】
以下、本発明の一実施形態を図１〜図１１に基づいて説明する。
図１において符号９９で示した本発明のシャッターは、シャッターカーテン９０をシャッター枠９１の上辺に水平に差し渡された巻き取りシャフト９２から吊り下げてなり、シャッターカーテン９０は、シャッター枠９１の両側辺に形成されたレール溝９１Ｇ，９１Ｇ（図１には、一方のレール溝９１Ｇのみが示されている）に案内されて上下動する。シャッターカーテン９０は、公知なシャッターカーテンと同じ構造である。即ち、複数のスラット９３をヒンジ（図示せず）で繋ぐと共に、最下部のスラット９３には幅木９７が繋がれている。幅木９７の室外側（図１における紙面手前側）の面には、断面略「Ｌ」字形状の水切り板９７Ａが一体形成され、幅木９７の室内側面の中央部には、本発明に係るシャッターロック装置１０（以下、単に「ロック装置１０」という）が固定されている。また、シャッター枠９１の下辺部で、ロック装置１０との対向部分には、ロック受部１１が埋設されている（図２を参照）。これらロック装置１０とロック受部１１により、シャッターロックセット１００が構成されている。以下、説明の便宜上、適宜、シャッターカーテン９０の室外側の面を「前面」といい、室内側の面を「後面」という。
【００２５】
図２の（Ａ）に示すように、シャッター枠９１の下辺部には、上方に開放した断面凹形の横長溝９１Ａが形成されており、この横長溝９１Ａのうち、ロック装置１０との対向部分（具体的には、長手方向の中央部分）にロック受部１１が収容されている。横長溝９１Ａのうち、ロック受部１１を挟んだ両側部分には、上方から蓋板部材９８，９８が嵌め込まれている。これら蓋板部材９８は、横長溝９１Ａの上端開口を覆うことで、横長溝９１Ａによる段差を無くしており、これにより、ロック受部１１が配置された部分に直方体形状の枠側凹部１２が形成されている。
【００２６】
ロック受部１１は、板金を折り曲げて形成された固定台座１４に円柱状のストライカ１５を固定してなる。より詳細には、固定台座１４は枠側凹部１２のうち室内側（図２の（Ｂ）における左側）の壁面１２Ａに突き当てられており、枠側凹部１２の底面１２Ｂに複数のネジ１６により固定されている。また、固定台座１４は、枠側凹部１２の短手方向（図２の（Ｂ）における左右方向）で対向し、底面１２Ｂから上方に向かって起立した１対のストライカ支持壁１４Ａ，１４Ａを備え、そのストライカ支持壁１４Ａ，１４Ａの間にストライカ１５が水平に差し渡されている。なお、ストライカ支持壁１４Ａ，１４Ａの上縁部は、内側に向かって下るように傾斜している。
【００２７】
ロック装置１０は、図３に示すように、シャッターカーテン９０（詳細には、幅木９７）の後面９０Ａに固定されたベース部材２０に、鎌部材３０及びガイド部材４０（本発明の「上下進退部材」に相当する）を組み付けてなる。ベース部材２０は、板金を扁平な凹形に折り曲げて形成されている。詳細には、シャッターカーテン９０の後面９０Ａ（本発明の「鉛直面」に相当する）から離れて対向したベース正面壁２１を備え、そのベース正面壁２１の両側部からシャッターカーテン９０の後面９０Ａに向かって１対のベース側壁２２，２２が起立している。ベース側壁２２，２２には、下方に開放しかつ上下方向に延びたスリット２５，２５が形成されており、ここに後述するガイド部材４０の両側辺がスライド係合している。また、ベース側壁２２，２２の前端部には、互いに離れるように直角に折れ曲がった取付壁２３Ａ，２３Ｂが形成されている。そして、これら取付壁２３Ａ，２３Ｂをシャッターカーテン９０の後面９０Ａに重ねてベース部材２０がシャッターカーテン９０に固定されている。
【００２８】
ベース部材２０のうちベース正面壁２１には板状の鎌部材３０が取り付けられている。鎌部材３０は、例えば、板金を打ち抜いて形成されている。具体的には、鎌部材３０は、ベース正面壁２１のうちシャッターカーテン９０の後面９０Ａに対面した取付面２１Ａに重ねられて、ベース正面壁２１を貫通した支持ピン３１によって回転可能に軸支されている。鎌部材３０には、支持ピン３１より下方に向かって突出し且つ先端が屈曲したフック部３２が形成されている。また、鎌部材３０のうち支持ピン３１を挟んでフック部３２の反対側には、操作レバー３３が形成されている。操作レバー３３は、ベース部材２０の上部開口５０から上方に突出しており、図示しない樹脂カバーで被覆されている。なお、鎌部材３０に操作レバー３３を一体形成したので、鎌部材と操作レバーとを別部品で構成し、それらをリンク機構等で連結した構成に比較して、構造が簡素化され、コストを抑えることができる。
【００２９】
さらに、鎌部材３０のうち、フック部３２と操作レバー３３との間部分からは、操作レバー３３と略反対方向に向かってアーム部３４が延びており、このアーム部３４とベース正面壁２１との間が、コイル状のトーションバネ３５（本発明の「付勢手段」に相当する）により連結されている。また、鎌部材３０のうち、フック部３２の中間部からは、シャッターカーテン９０の後面９０Ａに向かって連結ピン３６が起立しており、この連結ピン３６が、後述するガイド部材４０に連結している。ここで、ベース正面壁２１の取付面２１Ａには、その反対面を凹ませることで隆起した環状の突条２４が形成されており、鎌部材３０は、回動時にこの突条２４と摺接するようになっている。なお、突条２４を設けることでベース部材２０の剛性が高められている。
【００３０】
ガイド部材４０は、例えば合成樹脂で形成され、扁平な凹形状をなしている。より詳細には、ガイド部材４０は、ベース正面壁２１との間に鎌部材３０を挟んだガイド正面壁４１と、ガイド正面壁４１の両側部からベース正面壁２１に向かって起立しかつ、ベース側壁２２，２２の内側に重なったガイド側壁４２，４２とを備える。ガイド側壁４２，４２には、側方に突出しかつ上下方向に延びたガイド突部４３，４３が形成されている。ガイド突部４３のうち、上側半分は突条４７で構成される一方、下側半分は角柱状のブロック部４６で構成されており、突条４７に対してブロック部４６が段付き状に側方に突出している。そして、ガイド突部４３，４３が、ベース側壁２２，２２に形成されたスリット２５，２５の下端開口から挿入されてガイド部材４０がベース部材２０に対してスライド係合している。
【００３１】
これにより、ガイド部材４０はシャッターカーテン９０の下面９０Ｋから突出してシャッター枠９１の枠側凹部１２に突入した位置（図７及び図８を参照）と、枠側凹部１２から退避してシャッターカーテン９０の下面９０Ｋより上方に退避した位置（図５及び図６を参照）との間で上下動可能となっている。なお、ガイド部材４０を合成樹脂製としたことで、金属製とした場合よりも上下動をスムーズに行うことができる。
【００３２】
ガイド部材４０のうち、枠側凹部１２に突入する下端部には、ガイド部材４０の下方に開放した縦長のストライカ受容溝４４が形成されており、図７に示すように、ガイド部材４０が枠側凹部１２に突入すると、ロック受部１１に備えたストライカ１５がストライカ受容溝４４に受容される。ここで、ストライカ受容溝４４の開放端４４Ａにおける両側辺には、下方に向かうに従って互いに離れたテーパー部４４Ｓ，４４Ｓが形成されている。換言すれば、ストライカ受容溝４４の開放端４４Ａは、下方に向かうに従って徐々に幅広となっている。
【００３３】
ガイド正面壁４１のうちストライカ受容溝４４の周縁部は窪み部４５が陥没形成されている。そして、ストライカ受容溝４４内にストライカ１５が受容されたときには、ロック受部１１の一方のストライカ支持壁１４Ａが、この窪み部４５に受容されるようになっている。なお、窪み部４５の両側部には、ストライカ受容溝４４に向かうに従って徐々に落ち込んで、ストライカ支持壁１４Ａを窪み部４５に案内するためのに支持壁ガイド面４５Ａが形成されている。
【００３４】
ガイド部材４０のうち、窪み部４５が形成された面の下縁部には、下方に向かうに従ってベース正面壁２１に接近するように傾斜した第１下縁部ガイド面４１Ａが形成されている（図５を参照）。
【００３５】
また、ガイド部材４０の両側辺の下端部（ガイド突部４３，４３、より詳細には、ブロック部４６，４６の下端部）には、下方に向かうに従って第１下縁部ガイド面４１Ａに互いに近づくように傾斜した第２下縁部ガイド面４１Ｂ，４１Ｂが形成されている（図６を参照）。
【００３６】
さらに、図５に示すように、ガイド部材４０の両側辺の下端部には、下方に向かうに従って互いに接近するように傾斜したテーパー状の側部ガイド面４６Ａ，４６Ａが形成されている。
【００３７】
図５に示すように、ガイド正面壁４１のうち上辺側の一角部には、矩形凹所４９が陥没形成され、ここに水平方向に延びた横長の連結長孔４８が貫通形成されている。そして、この連結長孔４８に鎌部材３０から起立した連結ピン３６が突入して、離脱不能に係合している。
【００３８】
これにより、鎌部材３０をロック位置に向けて（図５における反時計回り方向）に回動操作すると、フック部３２が下方に回動してシャッターカーテン９０の下面９０Ｋから下方に突出し、鎌部材３０の回動に連動してガイド部材４０がベース部材２０に対して下方にスライド移動して、下端部がシャッターカーテン９０の下面９０Ｋから下方に突出する。そして鎌部材３０がロック位置に至ると、フック部３２によってストライカ受容溝４４の開放端４４Ａ側が閉じられる（図７及び図８の状態）。このとき、トーションバネ３５は、鎌部材３０をロック位置（図７における反時計回り方向）に付勢するので、鎌部材３０がストライカ受容溝４４の開放端４４Ａを閉じかつ、ガイド部材４０がシャッターカーテン９０の下方に突出した状態が保持される。
【００３９】
また、鎌部材３０をロック解除位置に向けて（図７における時計回り方向に）回動操作すると、フック部３２が上方に回動してシャッターカーテン９０の下面９０Ｋより上方に退避し、鎌部材３０の回動に連動してガイド部材４０が上方にスライドして、シャッターカーテン９０の下面９０Ｋよりも上方に退避する。そして、鎌部材３０がロック解錠位置に至る過程でフック部３２がストライカ受容溝４４から退避して開放端４４Ａが開放される（図５及び図６の状態）。このとき、トーションバネ３５は、鎌部材３０をロック解除位置（図５における時計回り方向）に付勢するので、鎌部材３０がストライカ受容溝４４の開放端４４Ａを開放しかつ、ガイド部材４０がシャッターカーテン９０の下面９０Ｋより上方に配置された状態が保持される。
【００４０】
なお、本実施形態のロック装置１０は、シャッターカーテン９０に対する取付位置を水平方向で調節可能となっている。具体的には、図３に示すように、シャッターカーテン９０の幅木９７の上辺と下辺には、それぞれガイド溝９４，９４が形成されており、これら１対のガイド溝９４，９４の間には、縦長の裏当板９５（図５を参照）がスライド可能に係合している。そして、ロック装置１０のベース部材２０に備えた一方（図３における右側）の取付壁２３Ａの上下端部が、ガイド溝９４，９４に室内側から嵌め込まれて係合すると共に、他方（図３における左側）の取付壁２３Ｂが、前記ガイド溝９４，９４を形成する側壁９４Ａ，９４Ａを裏当板９５との間で挟持している（図６を参照）。そして、裏当板９５と取付壁２３Ｂとを締め付けたネジ９６を緩めると、側壁９４Ａ，９４Ａに対する挟持力が弱まってベース部材２０、即ち、ロック装置１０をガイド溝９４，９４に沿って水平方向にスライドさせることが可能となり、ネジ９６を締め付けると、取付壁２３Ｂと裏当板９５との間で側壁９４Ａ，９４Ａが挟持されて、その挟持力によりベース部材２０、即ちロック装置１０をスライド不能に固定することができる。
【００４１】
次に上記構成からなる本実施形態のロック装置１０及びシャッターロックセット１００の動作を説明する。シャッターカーテン９０を閉鎖状態にしてロックする場合には、シャッターカーテン９０を下ろした後で、ロック装置１０の上方に突出した操作レバー３３を、図５における反時計回り方向に回動操作する。すると、支持ピン３１を中心にしてフック部３２が下方に移動し、これと共に、連結ピン３６によって鎌部材３０と連結されたガイド部材４０が、スリット２５，２５に案内されて下方にスライドする。すると、フック部３２がシャッターカーテン９０の下面９０Ｋから下方に突出すると共に、ガイド部材４０の下端部がシャッターカーテン９０の下方に突出し、その突出した部分が、シャッター枠９１の下辺部に形成された枠側凹部１２に突入する。これにより枠側凹部１２内に備えられたストライカ１５が、ストライカ受容溝４４の開放端４４Ａからストライカ受容溝４４内に進入する。そして、操作レバー３３の側辺がベース正面壁２１から起立した回動規制壁２６に当接して鎌部材３０がロック位置になると、ストライカ受容溝４４にストライカ１５が受容され、フック部３２がストライカ１５の下方に回り込んでストライカ受容溝４４の開放端４４Ａを閉じる（図７及び図８の状態）。これにより、ストライカ受容溝４４からのストライカ１５の抜けが禁止されて、ロック装置１０とストライカ１５とが係合する。即ち、シャッターカーテン９０が閉鎖状態に固定される。このとき、ストライカ受容溝４４とストライカ１５との係合によりシャッターカーテン９０の水平方向への移動が禁止されるので、シャッターカーテン９０を水平方向にずらして不正に開けることが不可能となる。
【００４２】
ロック装置１０をロック解除する場合には、以下のようである。即ち、操作レバー３３を、図７における時計回り方向に回動操作する。すると、支持ピン３１を中心に回動してフック部３２が上方へ移動し、これと共に、枠側凹部１２に突入したガイド部材４０が上方にスライドして、枠側凹部１２から徐々に退避する。フック部３２が上方へ移動することでストライカ受容溝４４の開放端４４Ａが開放され、この状態でガイド部材４０が枠側凹部１２から退避することで、ストライカ受容溝４４の開放端４４Ａからストライカ１５が離脱可能となる。そして、鎌部材３０に備えた当接突片３７がベース部材２０のベース側壁２２に当接してロック解錠位置になると、ガイド部材４０が枠側凹部１２から完全に抜けると共にストライカ受容溝４４からストライカ１５が完全に抜ける（図５及び図６の状態）。
【００４３】
そして、シャッターカーテン９０を巻き取りシャフト９２によって巻き上げれば、シャッターカーテン９０を開放することができる。このとき、ロック装置１０のフック部３２及びガイド部材４０は、シャッターカーテン９０の下面９０Ｋよりも上方に退避して、ロック装置１０の全体がシャッターカーテン９０（幅木９７）の後面９０Ａに隠れているので、ロック装置１０の一部が常時露出した従来のものに比較して見栄えが向上する。
【００４４】
ここで、鎌部材３０の回動時にはトーションバネ３５がベース部材２０との係止端部を中心にして一体に回動し、ロック位置とロック解除位置との中間位置で最も撓められる。そして、ロック位置では、鎌部材３０を図７における反時計回り方向に付勢する一方、ロック解除位置では鎌部材３０を図５における時計回り方向に付勢する。これにより、鎌部材３０が偶発的にロック位置とロック解除位置との間で切り替わることが防止されると共に、鎌部材３０がロック位置とロック解除位置との中間位置で止まることも防止される。
【００４５】
ところで、一般的にシャッターカーテン９０は、シャッター枠９１に対して水平方向に変位可能になっている。このため、シャッターカーテン９０を閉める際にシャッターカーテン９０が水平方向にずれて、ロック装置１０のストライカ受容溝４４がストライカ１５の直上位置からずれる場合がある。このような状態でロック操作を行った場合は以下のようである。
【００４６】
即ち、操作レバー３３の回動操作によりガイド部材４０が下方に突出する過程で、ガイド部材４０の一方の側辺下端部に形成された側部ガイド面４６Ａが、シャッター枠９１のうち枠側凹部１２の開口縁、即ち蓋板部材９８の縁部に当接すると共に、ストライカ受容溝４４の開放端４４Ａに形成された一方のテーパー部４４Ｓがストライカ１５に当接する（図９の（Ａ）を参照）。
【００４７】
この状態でさらにガイド部材４０が枠側凹部１２の奥側に突入すると、側部ガイド面４６Ａが蓋板部材９８の縁部に摺接すると共に、テーパー部４４Ｓがストライカ１５に摺接する。すると、ロック装置１０に備えたストライカ受容溝４４の位置がシャッターカーテン９０と共に斜め下方に移動して、ストライカ１５のほぼ真上位置に修正される（図９の（Ｂ）を参照）。そして、ストライカ１５がストライカ受容溝４４に受容されると、フック部３２がストライカ１５の下方に回り込んで係合する（図７を参照）。
【００４８】
また、ロック装置１０の位置が水平方向に比較的大きくずれた場合には、まず最初にガイド部材４０の側部ガイド面４６Ａが蓋板部材９８の縁部に当接する。そして、ガイド部材４０が蓋板部材９８の縁部に摺接しながら、さらに枠側凹部１２の奥側に突入する途中でストライカ受容溝４４のテーパー部４４Ｓとストライカ１５とが当接する。以下、上述のように、側部ガイド面４６Ａと蓋板部材９８の縁部及び、テーパー部４４Ｓとストライカ１５との摺接により、ストライカ受容溝４４の位置がストライカ１５のほぼ真上位置に修正される。
【００４９】
つまり、シャッターカーテン９０を下ろした時点で、ストライカ受容溝４４の位置がストライカ１５に対して水平方向にずれていた場合でも、ロック操作に伴ってガイド部材４０が枠側凹部１２に突入する過程で、ガイド部材４０の側面に形成された側部ガイド面４６Ａが枠側凹部１２の開口縁（蓋板部材９８の縁部）に摺接し、これにより、ストライカ受容溝４４とストライカ１５とが位置合わせされるので、ロック装置１０とストライカ１５とを確実に係合させることができる。
【００５０】
また、図１０の（Ａ）に示すように、シャッターカーテン９０を閉める際にシャッターカーテン９０が、室外側（図１０（Ａ）における左側）にずれた状態で、ロック操作を行った場合は以下のようである。
【００５１】
即ち、操作レバー３３の回動操作によりガイド部材４０が枠側凹部１２に突入する過程で、ガイド部材４０の下縁部に形成された第１下縁部ガイド面４１Ａが、ロック受部１１のうち、室外側のストライカ支持壁１４Ａの上縁部に接触する（図１０の（Ｂ）の状態）。そしてガイド部材４０が枠側凹部１２のさらに奥に突入する過程で、第１下縁部ガイド面４１Ａがストライカ支持壁１４Ａの上縁部に摺接してストライカ受容溝４４の位置が斜め後方（シャッターカーテン９０の後面側）に移動し、ストライカ１５のほぼ真上位置に修正される。そして、ストライカ１５がストライカ受容溝４４に受容されると、鎌部材３０のフック部３２がストライカ１５の下方に回り込んで係合する（図１０の（Ｃ）の状態）。
【００５２】
また、シャッターカーテン９０を閉める際にシャッターカーテン９０が、室内側（図１１における右側）にずれた状態で、ロック操作を行った場合は以下のようである。
【００５３】
即ち、操作レバー３３の回動操作によりガイド部材４０が枠側凹部１２に突入する過程で、図１１に示すようにガイド部材４０の両側辺の下端部に形成された第２下縁部ガイド面４１Ｂが、枠側凹部１２の開口縁のうち、室内側の縁部に接触する。そしてガイド部材４０が枠側凹部１２のさらに奥に突入する過程で、第２下縁部ガイド面４１Ｂが枠側凹部１２の開口縁に摺接して、ストライカ受容溝４４の位置が斜め前方に移動し（図１１の左側）ストライカ１５のほぼ真上位置に修正される。そして、ストライカ１５がストライカ受容溝４４に受容されると、鎌部材３０のフック部３２がストライカ１５の下方に回り込んで係合する（図１０の（Ｃ）を参照）。
【００５４】
つまり、シャッターカーテン９０を下ろした時点で、ストライカ受容溝４４の位置がストライカ１５の軸方向の一方（室外側又は室内側）にずれていたとしても、ロック操作に伴ってガイド部材４０が枠側凹部１２に突入する過程で、ガイド部材４０の下縁部に形成された第１下縁部ガイド面４１Ａ又は第２下縁部ガイド面４１Ｂにより、ロック装置１０がストライカ１５の軸方向における他方側に案内され、ストライカ受容溝４４とストライカ１５とが位置合わせされるので、ロック装置１０とストライカ１５とを確実に係合させることができる。
【００５５】
このように本実施形態によれば、鎌部材３０がロック位置のときには、ガイド部材４０がシャッターカーテン９０の下面９０Ｋから下方に突出してストライカ受容溝４４にストライカ１５を受容すると共に、フック部３２がシャッターカーテン９０の下面９０Ｋから下方に突出して、ストライカ受容溝４４に受容されたストライカ１５に係合する。これにより、ロック装置１０とストライカ１５とが係合状態に保持され、シャッターカーテン９０が閉鎖状態に固定される。これに対し、鎌部材３０がロック解除位置のときには、フック部３２及びガイド部材４０が共に、シャッターカーテン９０の下面９０Ｋよりも上方に退避してシャッターカーテン９０の後面９０Ａに隠れるから、シャッターカーテン９０を開放したときの見栄えが従来よりも向上する。
【００５６】
しかも、シャッターカーテン９０を閉めたときにストライカ受容溝４４がストライカ１５に対して水平方向及びストライカ１５の軸方向にずれていた場合でも、ガイド部材４０が枠側凹部１２に突入する過程でロック装置１０の位置が修正され、ストライカ受容溝４４とストライカ１５とが位置合わせされるから、ロック装置１０とストライカ１５とを確実に係合することができる。
【００５７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５８】
（１）前記実施形態のロック装置１０は、手動でロック及びロック解除する構成であったが、シャッターカーテン９０が閉まったときに自動でロックし、シャッターカーテン９０が上がるときに、自動でロック解除する構成としてもよい（例えば、特開２０００−３３７０６０号公報に記載された構成）。即ち、幅木９７とその上のスラット９３とを相対的に上下動可能に連結し、幅木９７とスラット９３との間の間隔に連動して幅木９７に対して相対的に上下動するリンク部材を鎌部材３０に連結しておき、シャッターカーテン９０が降りて幅木９７とスラット９３との間隔が小さくなったときには、鎌部材３０を図５における反時計回り方向に回動させてロック位置にすると共に、シャッターカーテン９０が上がる際に幅木９７とスラット９３との間隔が大きくなったときには、鎌部材３０を図７における反時計回り方向に回動させてロック解除するように構成すればよい。なお、上記構成の他にも電気的に鎌部材３０を回転駆動するようにしてもよい。
【００５９】
（２）上記実施形態では、鎌部材３０からガイド部材４０に向けて連結ピン３６を起立させ、ガイド部材４０にその連結ピン３６と係合する連結長孔４８を備えていたが、ガイド部材４０から鎌部材３０に向けて連結ピン３６を起立させ、鎌部材３０にその連結ピン３６と係合する連結長孔４８を備えていてもよい。
【００６０】
（３）ベース部材２０のベース側壁２２，２２から内側にピンを起立させると共に、ガイド部材４０の両側面に溝を形成して、それらピンと溝をスライド係合させることで、ガイド部材４０をベース部材２０に対して上下動可能とする構成も考えられる。しかしながら、このような構成では、ピンの部品コストやピンを取り付ける手間がかかる。これに対し上記実施形態によれば、ガイド突部４３，４３がガイド部材４０に一体形成されており、ピンにかかる部品コストやピンを取り付ける手間が省けるのでより好ましい。
【００６１】
（４）本発明の技術的範囲には含まれないが、本発明のシャッターロック装置１０及びシャッターロックセット１００を、所謂「横引き」のシャッターに適用してもよい。即ち、水平方向にスライドするシャッターカーテンの一側辺に本発明のシャッターロック装置１０を取り付け、シャッター枠の側辺のうち、シャッターロック装置１０と対向する部分に、枠側凹部１２を形成して、その内側にストライカ１５を備えておけばよい。
【図面の簡単な説明】
【００６２】
【図１】本発明を適用したシャッターの斜視図
【図２】（Ａ）シャッター枠の下辺部の斜視図、（Ｂ）枠側凹部の側断面図
【図３】シャッターロック装置の斜視図
【図４】シャッターロック装置の側面図
【図５】ロック解除位置におけるシャッターロックセットの正面図
【図６】ロック解除位置におけるシャッターロックセットの側面図
【図７】ロック位置におけるシャッターロックセットの正面図
【図８】ロック位置におけるシャッターロックセットの側面図
【図９】（Ａ）シャッターカーテンが水平方向にずれた状態のシャッターロックセットの正面図、（Ｂ）シャッターカーテンのずれが修正された状態のシャッターロックセットの正面図
【図１０】（Ａ）シャッターカーテンが室外側にずれた状態のシャッターロックセットの側面図、（Ｂ）枠側凹部に突入する過程のシャッターロックセットの側面図、（Ｃ）ロック位置におけるシャッターロックセットの側面図
【図１１】シャッターカーテンが室内側にすれた状態で枠側凹部に突入したときのシャッターロックセットの正面図
【符号の説明】
【００６３】
１０    シャッターロック装置
１２    枠側凹部
１４Ａ    ストライカ支持壁
１５    ストライカ
２０    ベース部材
２１    ベース正面壁
２２    ベース側壁
２３Ａ，２３Ｂ    取付壁
２４    突条
２５，２５    スリット
３０    鎌部材
３１    支持ピン
３２    フック部
３３    操作レバー
３５    トーションバネ（付勢手段）
３６    連結ピン
４０    ガイド部材（上下進退部材）
４１    ガイド正面壁
４１Ａ    第１下縁部ガイド面（下縁部ガイド面）
４１Ｂ    第２下縁部ガイド面
４３    ガイド突部（スリット直動部）
４４    ストライカ受容溝
４５    窪み部
４６Ａ    側部ガイド面
４７    突条
４８    連結長孔
９０    シャッターカーテン
９１    シャッター枠
９９    シャッター
１００    シャッターロックセット
【図１】
2007146590.tif 000003
【図２】
2007146590.tif 000004
【図３】
2007146590.tif 000005
【図４】
2007146590.tif 000006
【図５】
2007146590.tif 000007
【図６】
2007146590.tif 000008
【図７】
2007146590.tif 000009
【図８】
2007146590.tif 000010
【図９】
2007146590.tif 000011
【図１０】
2007146590.tif 000012
【図１１】
2007146590.tif 000013